(57)【要約】【課題】光漏れ現象を防止し、液晶表示パネルとモールドフレームとの間の結合を強化させることができるようにした携帯用表示装置を提供する。【解決手段】液晶表示パネル１０４と、液晶表示パネル１０４に光を供給するための光源を含むバックライトアセンブリ１５０と、バックライトアセンブリ１５０に含まれ、液晶表示パネル１０４を支持するための段差部１１６ａが形成されたモールドフレーム１１６と、段差部１１６ａに位置され、光源から液晶表示パネル１０４に供給される光の一部を遮断する遮光膜１０５と、を具備する。【選択図】図３
2007156398.tif 000002
【特許請求の範囲】
【請求項１】
液晶表示パネルと、
前記液晶表示パネルに光を供給するための光源を含むバックライトアセンブリと、
前記バックライトアセンブリに含まれ、前記液晶表示パネルを支持するための段差部が形成されたモールドフレームと、
前記段差部に位置され、前記光源から前記液晶表示パネルに供給される光の一部を遮断する遮光膜と、を具備することを特徴とする携帯用表示装置。
【請求項２】
前記遮光膜は、前記液晶表示パネルの非画素領域と重畳するように位置されることを特徴とする請求項１に記載の携帯用表示装置。
【請求項３】
前記遮光膜には、前記液晶表示パネルの画素領域に対応する開口部が形成されたことを特徴とする請求項１に記載の携帯用表示装置。
【請求項４】
前記遮光膜の第１面には、前記液晶表示パネルが位置され、
前記遮光膜の第２面には、前記光源から供給される光の均一性及び輝度の少なくとも一方を高めるための少なくとも一つの光学シートが位置されたことを特徴とする請求項１に記載の携帯用表示装置。
【請求項５】
前記遮光膜の両面は、黒色に設定されたことを特徴とする請求項１に記載の携帯用表示装置。
【請求項６】
前記遮光膜の両面は、相互に異なる色に設定されたことを特徴とする請求項１に記載の携帯用表示装置。
【請求項７】
前記遮光膜の両面のうち、前記液晶表示パネルと接合される第１面は、黒色に設定され、
前記段差部と接合される第２面は、白色または銀色に設定されたことを特徴とする請求項６に記載の携帯用表示装置。
【請求項８】
前記遮光膜は、両面テープであって、前記モールドフレームの段差部と前記液晶表示パネルとに付着されたことを特徴とする請求項１に記載の携帯用表示装置。
【請求項９】
前記遮光膜は、前記液晶表示パネルの背面の端部を覆うように、当該遮光膜によって取り囲まれる内部領域が閉鎖される形状で付着され、
前記液晶表示パネルの画素領域は、前記遮光膜と重畳しないように、前記遮光膜によって閉鎖される領域に位置されたことを特徴とする請求項８に記載の携帯用表示装置。
【発明の詳細な説明】
【技術分野】
【０００１】
本発明は、携帯用表示装置に関し、特に、遮光膜を具備して光漏れ現象を防止するとともに液晶表示パネルとモールドフレームとの間の結合を強化させることができるようにした携帯用表示装置に関する。
【背景技術】
【０００２】
近年、陰極線管（Ｃａｔｈｏｄｅ  Ｒａｙ  Ｔｕｂｅ）の短所である重さと体積を減らすことができる各種平板表示装置が開発されている。平板表示装置には、液晶表示装置（Ｌｉｑｕｉｄ  Ｃｒｙｓｔａｌ  Ｄｉｓｐｌａｙ、ＬＣＤ）、電界放出表示装置（Ｆｉｅｌｄ  Ｅｍｉｓｓｉｏｎ  Ｄｉｓｐｌａｙ、ＦＥＤ）、プラズマ表示パネル（Ｐｌａｓｍａ  Ｄｉｓｐｌａｙ  Ｐａｎｅｌ、ＰＤＰ）、及び発光表示装置（Ｌｉｇｈｔ  Ｅｍｉｔｔｉｎｇ  Ｄｉｓｐｌａｙ、ＬＥＤ）などがある。
【０００３】
ここで、液晶表示装置は、小型化、軽量化、及び低電力などの利点を持っているため、既存の陰極線管の短所を解消することができる代替手段として、ますます注目されており、現在は、携帯電話及びＰＤＡ（Ｐｏｒｔａｂｌｅ  ｄｉｇｉｔａｌ  ａｓｓｉｓｔｏｒ）などの携帯用器機のみならず、中大型製品であるモニタ及びＴＶなどにも装着されている。
【０００４】
図１は、一般的な携帯用表示装置を示す分解斜視図である。図１では、携帯電話などに使われながら、少なくとも一つの液晶表示装置が装着されたデュアル（Ｄｕａｌ）表示装置を示した。また、図２は、図１のＡ−Ａ’線に沿った結合断面図である。
【０００５】
図１及び図２を参照すれば、一般的な携帯用表示装置６０は、液晶表示パネル４、バックライトアセンブリ５０、ボトムシャシー２２、第１及び第２印刷回路基板２４，２６、ならびに発光表示パネル３０を具備する。
【０００６】
液晶表示パネル４は、第１表示パネルとして、所定の画像を表示する。このために、液晶表示パネル４は、第１基板４ａ、第２基板４ｂ、及びこれらの間に注入される液晶（図示せず）を具備する。
【０００７】
第２基板４ｂは、マトリックス形態に配置される複数の薄膜トランジスタ（Ｔｈｉｎ  Ｆｉｌｍ  Ｔｒａｎｓｉｓｔｏｒ：以下、ＴＦＴと称する）を含む。ここで、薄膜トランジスタのソース電極は、データ線に接続され、ゲート電極は、走査線に接続される。そして、薄膜トランジスタのドレイン電極は、導電性材質で透明なＩＴＯ（ｉｎｄｉｕｍ  ｔｉｎ  ｏｘｉｄｅ）からなる画素電極に接続される。このような薄膜トランジスタは、走査線に走査信号が供給される場合にターンオンされて、データ線から供給されるデータ信号を画素電極に供給する。
【０００８】
このために、第２基板４ｂの一側には集積回路６が挿入され、この集積回路６からデータ信号及び走査信号が供給される。そして、集積回路６の周りには保護層８が塗布される。
【０００９】
第１基板４ａは、第２基板４ｂと対向するように配置される。このような第１基板４ａの前面には、ＩＴＯからなる共通電極が塗布される。共通電極には所定の電圧が印加され、これによって共通電極と画素電極との間には所定の電界が形成される。このような電界によって第１基板４ａ及び第２基板４ｂの間に注入された液晶の配列角が変化され、変化された配列角にしたがって光透過量が変更されて所望の画像を表示する。
【００１０】
一方、図示されなかったが、液晶表示パネル４の上下部には、上下部偏光板がさらに具備される。
【００１１】
バックライトアセンブリ５０は、モールドフレーム１６、発光ダイオード１２、発光ダイオード基板１４、導光板１８、反射板２０、及び光学シート１０を具備する。
【００１２】
発光ダイオード１２は、発光ダイオード基板１４からの駆動信号に対応して所定輝度の光を生成する。
【００１３】
導光板１８は、発光ダイオード１２から供給される光を液晶表示パネル４に供給する。すなわち、導光板１８は、自身の側面から供給された光を自身の上部に位置された液晶表示パネル４に供給する。
【００１４】
反射板２０は、導光板１８の背面に位置されて導光板１８から入射される光を導光板１８に再供給する。すなわち、反射板２０は、自身に入射される光を導光板１８に再供給することによって光効率を高めるようになる。
【００１５】
光学シート１０は、導光板１８から供給された光の輝度などを高めて液晶表示パネル４に供給する。
【００１６】
発光ダイオード基板１４は、第１印刷回路基板２４に接続され、第１印刷回路基板２４から供給される制御信号に対応して発光ダイオード１２に駆動信号を供給する。
【００１７】
モールドフレーム１６には、発光ダイオード１２を実装した発光ダイオード基板１４が収納固定され、液晶表示パネル４及びバックライトアセンブリ５０が固定支持される。
【００１８】
ボトムシャシー２２は、モールドフレーム１６の下部でモールドフレーム１６に固定される。この時、ボトムシャシー２２の一部には、第２表示パネルである発光表示パネル３０が挿入されるように開口部が形成される。
【００１９】
第２印刷回路基板２６は、図示されていない携帯電話側駆動回路から駆動信号の供給を受ける。このために、第２印刷回路基板２６は、携帯電話コネクタ２８を具備する。携帯電話コネクタ２８は、携帯電話側駆動回路に付着された他のコネクタに合体固定されて携帯電話側駆動回路から駆動信号の供給を受ける。駆動信号の供給を受けた第２印刷回路基板２６は、自身に供給された駆動信号に対応して多様な制御信号を生成する。
【００２０】
第１印刷回路基板２４は、第２印刷回路基板２６に形成された第１パッド部３８を通じて第２印刷回路基板２６に接続される。そして、第１印刷回路基板２４は、図示されなかった可撓性印刷回路基板によって液晶表示パネル４の集積回路６及び発光ダイオード基板１４に接続される。集積回路６及び発光ダイオード基板１４に接続された第１印刷回路基板２４は、第２印刷回路基板２６から供給される制御信号に対応して集積回路６及び発光ダイオード基板１４を駆動させる。
【００２１】
発光表示パネル３０は、第１基板３０ａ及び第２基板３０ｂを具備する。第１基板３０ａには、マトリックス形態で有機発光ダイオード（図示せず）が配置される。有機発光ダイオードは、自身に供給される電流量に対応して所定輝度の光を生成する。このような発光表示パネル３０は、可撓性印刷回路基板３２の第２パッド部３６によって第２印刷回路基板２６に接続される。
【００２２】
ここで、可撓性印刷回路基板３２には集積回路３４が実装され、この集積回路３４は、第２印刷回路基板２６から供給される制御信号に対応して発光表示パネル３０で所定の画像が表示されるようにする。
【００２３】
しかし、一般的な携帯用表示装置６０では、望まれていない領域に光が抜け出る光漏れ現象が発生されうる。特に、一般的な携帯用表示装置６０では、バックライトアセンブリ５０から供給される光が、液晶表示パネル４の非画素領域に放出されることによって光効率が低減され、画質が低下するなどの問題点を有する。
【００２４】
また、図２に示されたように、液晶表示パネル４とモールドフレーム１６との間の側面に形成された空間を通じて、異物Ｐが光学シート１０などのバックライトアセンブリ５０に流入される場合、光の進行を妨害して画質をさらに低下させる。
【００２５】
また、一般的に、液晶表示パネル４がモールドフレーム１６に安着されて支持される構造において、液晶表示パネル４とモールドフレーム１６との間の結合がやや弱いという問題点がある。
【００２６】
一方、上記の一般的な携帯用表示装置に関する技術を記載した文献としては、下記の特許文献１および特許文献２などがある。
【特許文献１】韓国特許出願公開第２００３−００５４７６４号明細書
【特許文献２】韓国特許出願公開第１９９８−００８３１７０号明細書
【発明の開示】
【発明が解決しようとする課題】
【００２７】
本発明は、上記の問題点を解決するためになされたものである。したがって、本発明の目的は、光効率を高めて光漏れ現象を防止するようにした携帯用表示装置を提供することである。
【００２８】
また、本発明の他の目的は、液晶表示パネルとモールドフレームとの間の結合を強化させ、バックライトアセンブリに異物が流入されることを防止するようにした携帯用表示装置を提供することである。
【課題を解決するための手段】
【００２９】
前記目的を果たすために、本発明は、液晶表示パネルと、前記液晶表示パネルに光を供給するための光源を含むバックライトアセンブリと、前記バックライトアセンブリに含まれ、前記液晶表示パネルを支持するための段差部が形成されたモールドフレームと、前記段差部に位置され、前記光源から前記液晶表示パネルに供給される光の一部を遮断する遮光膜と、が具備された携帯用表示装置を提供する。
【００３０】
好ましくは、前記遮光膜は、前記液晶表示パネルの非画素領域と重畳するように位置される。前記遮光膜には、前記液晶表示パネルの画素領域に対応する開口部が形成される。
【００３１】
また、前記遮光膜の第１面には、前記液晶表示パネルが位置され、前記遮光膜の第２面には、前記光源から供給される光の均一性及び輝度の少なくとも一方を高めるための少なくとも一つの光学シートが位置される。
【００３２】
また、前記遮光膜の両面は、黒色に設定される。前記遮光膜の両面は、相互に異なる色に設定される。前記遮光膜の両面のうち、前記液晶表示パネルと接合される第１面は、黒色に設定され、前記段差部と接合される第２面は、白色または銀色に設定される。
【００３３】
また、前記遮光膜は、両面テープであって、前記モールドフレームの段差部と前記液晶表示パネルとに付着する。前記遮光膜は、前記液晶表示パネルの背面の端部を覆うように、当該遮光膜によって取り囲まれる内部領域が閉鎖される形状で付着され、前記液晶表示パネルの画素領域は、前記遮光膜と重畳しないように、前記遮光膜によって閉鎖される領域に位置される。
【発明の効果】
【００３４】
上述したように、本発明による携帯用表示装置によれば、液晶表示パネルとバックライトアセンブリとの間に遮光膜を具備することで、光漏れ現象が防止されて光効率が向上する。その結果、画質が改善される。
【００３５】
また、両面テープなどのような接合部材で遮光膜を形成することで、液晶表示パネルとモールドフレームとの間の結合を強化させ、異物流入による画質低下を防止することができるような効果がある。
【発明を実施するための最良の形態】
【００３６】
以下、添付された図３ないし図６を参照して、本発明の好ましい実施の形態について詳細に説明する。
【００３７】
図３は、本発明の第１の実施の形態による遮光膜が具備された携帯用表示装置を示す分解斜視図である。図３では、携帯電話などに使用され、少なくとも一つの液晶表示装置が装着されたデュアル表示装置を示したが、これは一つの実施の形態であり、本発明がこれに限定されるものではない。また、図４は、図３のＢ−Ｂ’線に沿った結合断面図である。
【００３８】
図３及び図４を参照すれば、本実施の形態による携帯用表示装置１６０は、液晶表示パネル１０４、バックライトアセンブリ１５０、ボトムシャシー１２２、第１及び第２印刷回路基板１２４，１２６、発光表示パネル１３０、ならびに液晶表示パネル１０４とバックライトアセンブリ１５０との間に位置された遮光膜１０５を具備する。
【００３９】
液晶表示パネル１０４は、第１表示パネルとして、所定の画像を表示する。このために、液晶表示パネル１０４は、第１基板１０４ａ、第２基板１０４ｂ、及びこれらの間に注入される液晶（図示せず）を具備する。
【００４０】
第２基板１０４ｂは、マトリックス形態に配置される複数の薄膜トランジスタを含む。ここで、薄膜トランジスタのソース電極はデータ線に接続され、ゲート電極は走査線に接続される。そして、薄膜トランジスタのドレイン電極は、導電性材質で透明なＩＴＯからなる画素電極に接続される。このような薄膜トランジスタは、走査線に走査信号が供給される場合にターンオンされてデータ線から供給されるデータ信号を画素電極に供給する。
【００４１】
このために、第２基板１０４ｂの一側には集積回路１０６が挿入され、この集積回路１０６からデータ信号及び走査信号が供給される。そして、集積回路１０６の周りには保護層１０８が塗布される。
【００４２】
第１基板１０４ａは、第２基板１０４ｂと対向するように配置される。このような第１基板１０４ａの前面には、ＩＴＯからなる共通電極が塗布される。共通電極には所定の電圧が印加され、これによって共通電極と画素電極との間には所定の電界が形成される。このような、電界によって第１基板１０４ａと第２基板１０４ｂとの間に注入された液晶の配列角が変化され、変化された配列角にしたがって光透過度が変更され、所望の画像を表示する。
【００４３】
一方、図示されなかったが、液晶表示パネル１０４の上下部には、上下部偏光板がさらに具備される。
【００４４】
バックライトアセンブリ１５０は、モールドフレーム１１６、発光ダイオード１１２、発光ダイオード基板１１４、導光板１１８、反射板１２０、及び光学シート１１０を具備する。
【００４５】
発光ダイオード１１２は、光源として、発光ダイオード基板１１４からの駆動信号に対応して所定輝度の光を生成する。
【００４６】
導光板１１８は、発光ダイオード１１２から供給される光を液晶表示パネル１０４に供給する。すなわち、導光板１１８は、自身の側面から供給された光を自身の上部に位置された液晶表示パネル１０４に供給する。
【００４７】
反射板１２０は、導光板１１８の背面に位置されて導光板１１８から入射される光を導光板１１８に再供給する。すなわち、反射板１２０は、自身に入射される光を導光板１１８に再供給することによって光効率を高める。
【００４８】
光学シート１１０は、導光板１１８から供給された光の均一性及び輝度などを高めて液晶表示パネル１０４に供給する。
【００４９】
発光ダイオード基板１１４は、第１印刷回路基板１２４に接続され、第１印刷回路基板１２４から供給される制御信号に対応して発光ダイオード１１２に駆動信号を供給する。
【００５０】
モールドフレーム１１６には、発光ダイオード１１２を実装した発光ダイオード基板１１４が収納固定され、液晶表示パネル１０４及びバックライトアセンブリ１５０が固定支持される。ここで、モールドフレーム１１６の内側面には、液晶表示パネル１０４を固定支持するための段差部１１６ａが、内側面から内方に突出して形成される。
【００５１】
ボトムシャシー１２２は、モールドフレーム１１６の下部でモールドフレーム１１６に固定される。この時、ボトムシャシー１２２の一部には、第２表示パネルである発光表示パネル１３０が挿入されるように開口部が形成される。
【００５２】
第２印刷回路基板１２６は、図示されていない携帯電話側駆動回路から駆動信号の供給を受ける。このために、第２印刷回路基板１２６は、携帯電話コネクタ１２８を具備する。携帯電話コネクタ１２８は、携帯電話側駆動回路に付着された他のコネクタに合体固定されて携帯電話側駆動回路から駆動信号の供給を受ける。駆動信号の供給を受けた第２印刷回路基板１２６は、自身に供給された駆動信号に対応して多様な制御信号を生成する。
【００５３】
第１印刷回路基板１２４は、第２印刷回路基板１２６に形成された第１パッド部１３８を通じて第２印刷回路基板１２６に接続される。そして、第１印刷回路基板１２４は、図示されなかった可撓性印刷回路基板によって液晶表示パネル１０４の集積回路１０６及び発光ダイオード基板１１４に接続される。
【００５４】
集積回路１０６及び発光ダイオード基板１１４に接続された第１印刷回路基板１２４は、第２印刷回路基板１２６から供給される制御信号に対応して集積回路１０６及び発光ダイオード基板１１４を駆動させる。
【００５５】
発光表示パネル１３０は、第１基板１３０ａ及び第２基板１３０ｂを具備する。第１基板１３０ａにはマトリックス形態で有機発光ダイオード（図示せず）が配置される。有機発光ダイオードは、自身に供給される電流量に対応して所定輝度の光を生成する。このような発光表示パネル１３０は、可撓性印刷回路基板１３２の第２パッド部１３６によって第２印刷回路基板１２６に接続される。
【００５６】
ここで、可撓性印刷回路基板１３２には集積回路１３４が実装され、この集積回路１３４は、第２印刷回路基板１２６から供給される制御信号に対応して発光表示パネル１３０で所定の画像が表示されるようにする。
【００５７】
ここで、液晶表示パネル１０４とバックライトアセンブリ１５０との間には、遮光膜１０５が具備される。例えば、遮光膜１０５は、液晶表示パネル１０４を支持するためのモールドフレーム１１６の段差部１１６ａ上に位置されうる。この場合、遮光膜１０５は、図４に示されたように、液晶表示パネル１０４と光学シート１１０との間に位置される。この時、遮光膜１０５は、液晶表示パネル１０４の非画素領域１０４＿ＮＡと重畳するように、液晶表示パネル１０４の背面の端部に沿って当該端部を覆うように位置される。また、遮光膜１０５の両面は、遮光効果を高めるために黒色に設定される。
【００５８】
そして、遮光膜１０５の所定部分には、液晶表示パネル１０４の画素領域１０４＿Ａに対応する開口部１０５ｃが形成される。これによって、光が非画素領域１０４＿ＮＡに放出されることが防止され、画素領域１０４＿Ａのみに供給されることにより、画質が改善される。
【００５９】
また、前述した遮光膜１０５は、両面テープなどのような接着部材で形成されることで、液晶表示パネル１０４とモールドフレーム１１６との間の結合を強化させることができる。ここで、遮光膜１０５は、液晶表示パネル１０４の端部すべてを覆うように、遮光膜１０５によって取り囲まれる内部領域が閉鎖された構造で付着する。例えば、遮光膜１０５は、非画素領域１０４＿ＮＡと重畳するように“口”字形状で付着することができる。画素領域１０４＿Ａは、遮光膜１０５と重畳しないように、遮光膜１０５によって閉鎖される領域に位置される。
【００６０】
このように、内部が閉鎖された構造で遮光膜１０５が付着される場合、異物Ｐ’がバックライトアセンブリ１５０に流入されることを効果的に遮断することができる。より具体的には、液晶表示パネル１０４の側面とモールドフレーム１１６の側面との間に形成された空間に異物Ｐ’が流入されても、異物Ｐ’は両面テープに形成された遮光膜１０５によってバックライトアセンブリ１５０に流入されることはできない。これによって、異物Ｐ’の流入による画質低下を防止することができる。
【００６１】
一方、光効率を増大させて画素領域１０４＿Ａの輝度を高めようとする場合、図５ａないし図６に示されたように、遮光膜１０５の両面は、相互に異なる色に設定されうる。これをより具体的に説明すれば、遮光膜１０５の前面、すなわち、液晶表示パネル１０４に対向する遮光膜１０５の第１面１０５ａは、図５ａ及び図６に示されたように、黒色に設定され、遮光膜１０５の背面、すなわち、段差部１１６ａ及び光学シート１１０に対向する遮光膜１０５の第２面１０５ｂは、図５ｂ及び図６に示されたように、白色及び銀色などに設定される。ただし、遮光膜１０５の第２面１０５ｂの色が白色または銀色に限定されるのではなく、光を反射することができる色であれば、多様に設定されることができる。
【００６２】
以下では、遮光膜１０５によって非画素領域１０４＿ＮＡへの光漏れが防止され、光効率が向上する原理を説明する。
【００６３】
光漏れは、バックライトアセンブリ１５０から供給された光の一部が、非画素領域１０４＿ＮＡに放出されながら発生する。例えば、光漏れは、発光ダイオード１１２から供給されて導光板１１８及び光学シート１１０を経由した光の一部が液晶表示パネル１０４とモールドフレーム１１６との間の非画素領域１０４＿ＮＡに放出されて発生しえる。この時、液晶表示パネル１０４とモールドフレーム１１６の段差部１１６ａとの間に遮光膜１０５を位置させ、遮光膜１０５の第１面１０５ａは黒色に設定し、第２面１０５ｂは白及び銀色などの反射性を有する色に設定する。
【００６４】
このようにすると、非画素領域１０４＿ＮＡへ進行しようとした光は、白色または銀色に設定された遮光膜１０５の第２面１０５ｂで反射して、再度、光学シート１１０を経由して導光板１１８に供給される。ここで、導光板１１８に供給された光の大部分は、液晶表示パネル１０４の画素領域１０４＿Ａに供給されるようになる。
【００６５】
このように、非画素領域１０４＿ＮＡへ進行しようとした光の一部を画素領域１０４＿Ａへ誘導することにより、光漏れが防止され、光効率が向上して画素領域１０４＿Ａの輝度を高めることができる。また、遮光膜１０５の第１面１０５ａは、黒色に設定されることにより、追って発生し得る光漏れも減少させることができる。
【００６６】
一方、本実施の形態では、第２表示パネルを発光表示パネル１３０に設定したが、第２表示パネルが液晶表示パネルに設定される場合、遮光膜１０５から反射されて導光板１１８に再供給された光の一部が第２表示パネルに供給されて、第２表示パネルの輝度も高めることができる。
【００６７】
前述した第２の実施の形態は、遮光膜１０５の片面が反射性を有する色に設定されるということを除く残りの部分は、図３ないし図４で説明した第１の実施の形態と同様であるから、これに対する詳細な説明は省略する。
【００６８】
以上、添付した図面を参照して、本発明について詳細に説明したが、これは例示的なものに過ぎず、当該技術分野における通常の知識を有する者であれば、多様な変形及び均等な他の実施の形態が可能であるということを理解することができる。
【図面の簡単な説明】
【００６９】
【図１】一般的な携帯用表示装置を示す分解斜視図である。
【図２】図１のＡ−Ａ’線に沿った結合断面図である。
【図３】本発明の第１の実施の形態による遮光膜が具備された携帯用表示装置を示す分解斜視図である。
【図４】図３のＢ−Ｂ’線に沿った結合断面図である。
【図５ａ】本発明の第２の実施の形態による遮光膜を示す斜視図である。
【図５ｂ】本発明の第２の実施の形態による遮光膜を示す斜視図である。
【図６】図４に示された結合断面図において、図５ａ及び図５ｂに示された遮光膜が適用されたことを示す図である。
【符号の説明】
【００７０】
４，１０４    液晶表示パネル、
１０，１１０    光学シート、
１２，１１２    発光ダイオード、
１６，１１６    モールドフレーム、
１８，１１８    導光板、
２０，１２０    反射板、
２２，１２２    ボトムシャシー、
２４，２６，１２４，１２６    印刷回路基板、
３０，１３０    発光表示パネル、
１０５    遮光膜。
【図１】
2007156398.tif 000003
【図２】
2007156398.tif 000004
【図３】
2007156398.tif 000005
【図４】
2007156398.tif 000006
【図５ａ】
2007156398.tif 000007
【図５ｂ】
2007156398.tif 000008
【図６】
2007156398.tif 000009